【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で前記動画像が符号化された符号化ビット列を復号する動画像復号装置であって、
復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出するインター予測情報導出部と、
処理機能の集合を示すプロファイルおよびデコード処理能力を示すレベルの少なくとも一方に応じて前記インター予測情報の候補の候補数を設定する候補数設定部と、
候補数の設定された前記インター予測情報の候補から１つのインター予測情報の候補を選択して、その選択したインター予測情報の候補により前記復号対象の予測ブロックのインター予測を行う予測部と
を備えることを特徴とする動画像復号装置。
【請求項２】
動画像の各ピクチャを分割したブロック単位で前記動画像が符号化された符号化ビット列を復号する動画像復号方法であって、
復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出するインター予測情報導出ステップと、
処理機能の集合を示すプロファイルおよびデコード処理能力を示すレベルの少なくとも一方に応じて前記インター予測情報の候補の候補数を設定する候補数設定ステップと、
候補数の設定された前記インター予測情報の候補から１つのインター予測情報の候補を選択して、その選択したインター予測情報の候補により前記復号対象の予測ブロックのインター予測を行う予測ステップと
を有することを特徴とする動画像復号方法。
【請求項３】
動画像の各ピクチャを分割したブロック単位で前記動画像が符号化された符号化ビット列を復号する動画像復号プログラムであって、
復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出するインター予測情報導出ステップと、
処理機能の集合を示すプロファイルおよびデコード処理能力を示すレベルの少なくとも一方に応じて前記インター予測情報の候補の候補数を設定する候補数設定ステップと、
候補数の設定された前記インター予測情報の候補から１つのインター予測情報の候補を選択して、その選択したインター予測情報の候補により前記復号対象の予測ブロックのインター予測を行う予測ステップと
をコンピュータに実行させることを特徴とする動画像復号プログラム。
【請求項４】
動画像が符号化された符号化ビット列を受信して復号する受信装置であって、
各ピクチャを分割したブロック単位で前記動画像が符号化された符号化ビット列がパケット化された符号化データを受信する受信部と、
受信された前記符号化データをパケット処理して元の符号化ビット列を復元する復元部と、
復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出する予測情報導出部と、
処理機能の集合を示すプロファイルおよびデコード処理能力を示すレベルの少なくとも一方に応じて前記インター予測情報の候補の候補数を設定する候補数設定部と、
候補数の設定された前記インター予測情報の候補から１つのインター予測情報の候補を選択して、その選択したインター予測情報の候補により前記復号対象の予測ブロックのインター予測を行う予測部と
を備えることを特徴とする受信装置。
【請求項５】
動画像が符号化された符号化ビット列を受信して復号する受信方法であって、
各ピクチャを分割したブロック単位で前記動画像が符号化された符号化ビット列がパケット化された符号化データを受信する受信ステップと、
受信された前記符号化データをパケット処理して元の符号化ビット列を復元する復元ステップと、
復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出する予測情報導出ステップと、
処理機能の集合を示すプロファイルおよびデコード処理能力を示すレベルの少なくとも一方に応じて前記インター予測情報の候補の候補数を設定する候補数設定ステップと、
候補数の設定された前記インター予測情報の候補から１つのインター予測情報の候補を選択して、その選択したインター予測情報の候補により前記復号対象の予測ブロックのインター予測を行う予測ステップと
を有することを特徴とする受信方法。
【請求項６】
動画像が符号化された符号化ビット列を受信して復号する受信プログラムであって、
各ピクチャを分割したブロック単位で前記動画像が符号化された符号化ビット列がパケット化された符号化データを受信する受信ステップと、
受信された前記符号化データをパケット処理して元の符号化ビット列を復元する復元ステップと、
復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出する予測情報導出ステップと、
処理機能の集合を示すプロファイルおよびデコード処理能力を示すレベルの少なくとも一方に応じて前記インター予測情報の候補の候補数を設定する候補数設定ステップと、
候補数の設定された前記インター予測情報の候補から１つのインター予測情報の候補を選択して、その選択したインター予測情報の候補により前記復号対象の予測ブロックのインター予測を行う予測ステップと
をコンピュータに実行させることを特徴とする受信プログラム。
【手続補正２】
【補正対象書類名】明細書
【補正対象項目名】００１６
【補正方法】変更
【補正の内容】
【００１６】
動画像の各ピクチャを分割したブロック単位で前記動画像が符号化された符号化ビット列を復号する動画像復号装置であって、復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出するインター予測情報導出部と、処理機能の集合を示すプロファイルおよびデコード処理能力を示すレベルの少なくとも一方に応じて前記インター予測情報の候補の候補数を設定する候補数設定部と、候補数の設定された前記インター予測情報の候補から１つのインター予測情報の候補を選択して、その選択したインター予測情報の候補により前記復号対象の予測ブロックのインター予測を行う予測部とを備えることを特徴とする動画像復号装置を提供する。
動画像の各ピクチャを分割したブロック単位で前記動画像が符号化された符号化ビット列を復号する動画像復号方法であって、復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出するインター予測情報導出ステップと、処理機能の集合を示すプロファイルおよびデコード処理能力を示すレベルの少なくとも一方に応じて前記インター予測情報の候補の候補数を設定する候補数設定ステップと、候補数の設定された前記インター予測情報の候補から１つのインター予測情報の候補を選択して、その選択したインター予測情報の候補により前記復号対象の予測ブロックのインター予測を行う予測ステップとを有することを特徴とする動画像復号方法を提供する。
動画像の各ピクチャを分割したブロック単位で前記動画像が符号化された符号化ビット列を復号する動画像復号プログラムであって、復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出するインター予測情報導出ステップと、処理機能の集合を示すプロファイルおよびデコード処理能力を示すレベルの少なくとも一方に応じて前記インター予測情報の候補の候補数を設定する候補数設定ステップと、候補数の設定された前記インター予測情報の候補から１つのインター予測情報の候補を選択して、その選択したインター予測情報の候補により前記復号対象の予測ブロックのインター予測を行う予測ステップとをコンピュータに実行させることを特徴とする動画像復号プログラムを提供する。
動画像が符号化された符号化ビット列を受信して復号する受信装置であって、各ピクチャを分割したブロック単位で前記動画像が符号化された符号化ビット列がパケット化された符号化データを受信する受信部と、受信された前記符号化データをパケット処理して元の符号化ビット列を復元する復元部と、復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出する予測情報導出部と、処理機能の集合を示すプロファイルおよびデコード処理能力を示すレベルの少なくとも一方に応じて前記インター予測情報の候補の候補数を設定する候補数設定部と、候補数の設定された前記インター予測情報の候補から１つのインター予測情報の候補を選択して、その選択したインター予測情報の候補により前記復号対象の予測ブロックのインター予測を行う予測部とを備えることを特徴とする受信装置を提供する。
動画像が符号化された符号化ビット列を受信して復号する受信方法であって、各ピクチャを分割したブロック単位で前記動画像が符号化された符号化ビット列がパケット化された符号化データを受信する受信ステップと、受信された前記符号化データをパケット処理して元の符号化ビット列を復元する復元ステップと、復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出する予測情報導出ステップと、処理機能の集合を示すプロファイルおよびデコード処理能力を示すレベルの少なくとも一方に応じて前記インター予測情報の候補の候補数を設定する候補数設定ステップと、候補数の設定された前記インター予測情報の候補から１つのインター予測情報の候補を選択して、その選択したインター予測情報の候補により前記復号対象の予測ブロックのインター予測を行う予測ステップとを有することを特徴とする受信方法を提供する。
動画像が符号化された符号化ビット列を受信して復号する受信プログラムであって、各ピクチャを分割したブロック単位で前記動画像が符号化された符号化ビット列がパケット化された符号化データを受信する受信ステップと、受信された前記符号化データをパケット処理して元の符号化ビット列を復元する復元ステップと、復号対象の予測ブロックに隣接する予測ブロック、または復号対象の予測ブロックと異なる復号済みのピクチャにおける前記復号対象の予測ブロックと同一位置あるいはその付近に存在する予測ブロックのインター予測情報から、インター予測情報の候補を導出する予測情報導出ステップと、処理機能の集合を示すプロファイルおよびデコード処理能力を示すレベルの少なくとも一方に応じて前記インター予測情報の候補の候補数を設定する候補数設定ステップと、候補数の設定された前記インター予測情報の候補から１つのインター予測情報の候補を選択して、その選択したインター予測情報の候補により前記復号対象の予測ブロックのインター予測を行う予測ステップとをコンピュータに実行させることを特徴とする受信プログラムを提供する。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】